(57)【要約】【課題】　生産性を向上させ組立性を増大させることができる平板表示装置を提供する。【解決手段】　一対の固定部材は表示モジュール１００とケースとの間に介在され表示モジュールに結合されることにより表示モジュールをケースに固定させる。各固定部材２０１は互いに向き合うように形成された本体部２１０と、第１保持部２２０を備えて表示モジュールがｚ軸方向に移動しないように保持し、本体部２１０の両端から伸びた第２保持部により表示モジュールがｙ軸方向に移動しないように保持する。また、本体部２１０と第１保持部２２０とを連結する連結部２３０により表示モジュールがｘ軸方向に移動しないようにも保持する。【選択図】　　　図３
2004094256.tif 000002
【特許請求の範囲】
【請求項１】
　像を表示する表示モジュールと、
　前記表示モジュールを収納するケースと、
　前記表示モジュールと前記ケースとの間に介在し前記表示モジュールに結合され、前記ケースに締結されることにより前記表示モジュールを前記ケースに固定するための固定部材と、
　を含むことを特徴とする平板表示装置。
【請求項２】
　前記表示モジュールは、
　光の透過度を制御する液晶を利用して像を表示するディスプレーユニットと、
　基底壁と該基底壁から延びた第１乃至第４側壁からなり、前記ディスプレーユニットを収納する第１収納容器と、
　上壁と該上壁から延びた第５乃至第８側壁からなり、前記第１収納容器と対向して結合し、前記ディスプレーユニットを前記第１収納容器に固定し、かつ互いに向き合う第５及び第６側壁に固定溝が形成された第２収納容器と、
　を含むことを特徴とする請求項１に記載の平板表示装置。
【請求項３】
　前記固定部材は前記表示モジュールの対向する第１及び第２端部に各々結合されることを特徴とする請求項２に記載の平板表示装置。
【請求項４】
　前記固定部材の各々は、
　前記第１収納容器の基底壁と面する本体部と、
　前記固定溝に挿入され前記表示モジュールを前記本体部に沿うように保持する第１保持部と、
　前記本体部と前記第１保持部を連結する連結部と、
　前記本体部の両端部から各々延びて前記表示モジュールを保持する第２保持部と、
　前記第２保持部から各々延び、締結孔が形成された固定部と、
　を含むことを特徴とする請求項３に記載の平板表示装置。
【請求項５】
　前記連結部は前記第５及び第６側壁に各々面し、第２保持部は各々前記第７及び第８側壁に面することを特徴とする請求項４に記載の平板表示装置。
【請求項６】
　前記ケースは、
　前記表示モジュールの背面をカバーし、前記締結孔と対応する締結穴が形成されたケース側固定部を有するリアケースと、
　前記リアケースと対向して結合し、前記表示モジュールの前面をカバーするフロントケースを含むことを特徴とする請求項４に記載の平板表示装置。
【請求項７】
　前記第２保持部は、
　前記本体部のいずれか一つの端部から延びた第１支持部と、
　前記本体部の他の一つの端部から延びた第２支持部を含み、
　前記第１及び第２支持部は前記本体部に対し垂直な方向に延びることを特徴とする請求項４に記載の平板表示装置。
【請求項８】
　前記固定部は、
　前記第１支持部から延びた第１固定部と、
　前記第２支持部から延びた第２固定部を含み、
　前記第１及び第２固定部は各々前記第１及び第２支持部に対し垂直な方向に延びることを特徴とする請求項７に記載の平板表示装置。
【請求項９】
　前記第１及び第２固定部は、各々前記固定部材を前記ケースに固定するために前記ケースに形成された前記第１及び第２締結穴に対応する第１及び第２締結孔を含むことを特徴とする請求項８に記載の平板表示装置。
【請求項１０】
　前記第１保持部は前記連結部から複数の突出部が互いに離隔されて延びる形状を有することを特徴とする請求項４に記載の平板表示装置。
【請求項１１】
　前記連結部は前記本体部から延びた複数の突出部を含み、該複数の突出部は所定の距離に互いに離隔され、それらの各々が前記本体部に連結されると共に前記第１保持部としての突出部の対応する一つに連結されることを特徴とする請求項１０に記載の平板表示装置。
【請求項１２】
　前記第１収納容器は前記第５及び第６側壁と向き合う前記第１及び第２側壁に各々形成され、前記固定溝に対応する結合溝を有することを特徴とする請求項２に記載の平板表示装置。
【請求項１３】
　前記ディスプレーユニットは、
　前記像が表示される液晶パネルと、
　前記液晶パネルに提供される駆動信号を発生する回路基板と、
　前記液晶パネルと前記回路基板を電気的に連結して前記駆動信号を前記液晶パネルに印加する柔軟性フィルムを含むことを特徴とする請求項２に記載の平板表示装置。
【請求項１４】
　前記回路基板は前記第１収納容器の基底壁の上に定着され、
　前記回路基板は前記固定部材と同一平面上に存在するがそれとは離隔され、または縁面で接触することを特徴とする請求項１３に記載の平板表示装置。
【請求項１５】
　前記固定部材の各々は、
　前記第２収納容器の上壁と面する本体部と、
　前記固定溝に挿入され前記表示モジュールを前記本体部に沿うように保持する第１保持部と、
　前記本体部と前記第１保持部を連結する連結部と、
　前記本体部の互いに向き合う両端部から各々延びて前記表示モジュールを保持する第２保持部と、
　前記第２保持部から延び、締結孔が形成された固定部と、
　を含むことを特徴とする請求項２に記載の平板表示装置。
【請求項１６】
　前記表示モジュールは、
　光の透過度を制御する液晶を利用して像を表示するディスプレーユニットと、
　基底壁と該基底壁から延びた第１乃至第４側壁からなり、前記ディスプレーユニットを収納する第１収納容器と、
　上壁と該上壁から延びた第５乃至第８側壁からなり、前記第１収納容器と対向して結合し、前記ディスプレーユニットを前記第１収納容器に固定する第２収納容器と、
　を含むことを特徴とする請求項１に記載の平板表示装置。
【請求項１７】
　前記固定部材は前記表示モジュールの対向する第１及び第２端部に各々結合されることを特徴とする請求項１６に記載の平板表示装置。
【請求項１８】
　前記固定部材の各々は、
　前記第１収納容器の前記基底壁と面する本体部と、
　前記第２収納容器の前記上壁と面し前記表示モジュールを前記本体部に沿うように保持する第１保持部と、
　前記本体部と前記第１保持部を連結する連結部と、
　前記本体部の両端部から各々延びて前記表示モジュールを保持する第２保持部と、
　前記第２保持部から各々延び、締結孔が形成された固定部と、
　を含むことを特徴とする請求項１７に記載の平板表示装置。
【請求項１９】
　前記固定部材の各々は、
　前記第２収納容器の上壁と面する本体部と、
　前記第１収納容器の前記基底壁と面し前記表示モジュールを前記本体部に沿うように保持する第１保持部と、
　前記本体部と前記第１保持部を連結する連結部と、
　前記本体部の両端部から各々延び前記表示モジュールを保持する第２保持部と、
　前記第２保持部から延び、締結孔が形成された固定部と、
　を含むことを特徴とする請求項１７に記載の平板表示装置。
【発明の詳細な説明】
【技術分野】
【０００１】
　本発明は平板表示装置に関するものであり、より詳細には、生産性を向上させると同時に、組立性を増大させることができる平板表示装置に関するものである。
【背景技術】
【０００２】
　最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
　最近、半導体技術の急速な進歩により、各種情報処理装置が軽量、小型でありかつ、表示装置も薄く低消費電力の特徴を有する平板表示装置が開発されている。現在、平板表示装置のうちの一つである液晶表示装置が最も広く使用されることになった。
【０００４】
　液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００５】
　このような、液晶表示装置の大きさは使用者の要求によりますます大型化され、これに対応して液晶表示モジュール及び液晶表示モジュールを実装するためのケースもますます大型化されている。従って、液晶表示モジュールの大型化を満足させながら、液晶表示装置の軽量化及び薄型化を満足させるためには液晶表示モジュール及びケースの結合構造及び液晶表示モジュールが構成している部材のレイアウトにおいて、連続的な研究が進められている趨勢である。
【０００６】
　特に、液晶表示モジュールとケースとの結合のための実装構造において、液晶表示モジュールとケースの結合に必要とされる領域が重要な問題になっている。
【０００７】
　一般に、液晶表示モジュールとケースとを結合させるために側壁に用意された締結領域に締結されるねじにより結合される方式が利用されている。
【０００８】
　しかし、このように一般に使用される方式では、次のような問題点が生じる。
【０００９】
　第一に、液晶表示モジュールとケースがねじ結合されるために、液晶表示装置の組立工程数が増加され、液晶表示装置を組立てる作業能率が低下する。即ち、ねじ締結のためのスクリューホールを形成したり、ねじ締結工程が実施されるために、工程数が増加される。また、ねじにより液晶表示モジュールとケースとの結合力が決定されることにより、ねじ締結数が増加され、それにより液晶表示装置の部品数が増加されることにより、液晶表示装置の生産性が低下する。
【００１０】
　第二に、液晶表示モジュールとケースをねじ結合するためには、ねじを締結させるための十分な結合領域が確保されなければならない。従って、液晶表示装置の非有効ディスプレー領域の面積が増加され、液晶表示装置のサイズが全体的に増加する。
【発明の開示】
【発明が解決しようとする課題】
【００１１】
　本発明の目的は、生産性を向上させると同時に、組立性を増大させることができる平板表示装置を提供することにある。
【課題を解決するための手段】
【００１２】
　上述した目的を達成するための本発明による平板表示装置は、映像を表示する表示モジュールと、前記表示モジュールを収納するケースと、前記表示モジュールと前記ケースとの間に介在し前記表示モジュールに結合され、前記ケースに締結されることにより前記表示モジュールを前記ケースに固定するための固定部材と、を含む。
【００１３】
　このような平板表示装置によると、固定部材は表示モジュールに結合された状態でケースと締結され、表示モジュールをケースに固定させる。従って、平板表示装置の組立性を向上させ生産性を増大させることができる。
【発明を実施するための最良の形態】
【００１４】
　以下、図面を参照して本発明の望ましい一実施形態をより詳細に説明する。
【００１５】
　図１は本発明の一実施形態による平板表示装置を示す斜視図であり、図２は図１に示した第１固定部材を具体的に示す斜視図である。
【００１６】
　図１に示すように、本発明の一実施形態による平板表示装置５００は像を表示する表示モジュール１００と、表示モジュール１００をカバーするケース３００、４００と、ケースに表示モジュール１００を固定するための第１及び第２固定部材２０１、２０２とを含む。
【００１７】
　具体的に、表示モジュール１００は第１乃至第４側壁１１０、１２０、１３０、１４０と、第１乃至第４側壁１１０、１２０、１３０、１４０から延びた第１面１５０と、第１面１５０と向き合う第２面１６０からなる。ここで、第１面１５０は像を表示する面である。第１面１５０は像を表示する有効ディスプレー領域Ｄと、有効ディスプレー領域Ｄの周辺に形成された非有効ディスプレー領域Ｓに区分される。また、第１乃至第４側壁１１０、１２０、１３０、１４０のうちの互いに向き合う第１及び第２側面１１０、１２０には、所定の深さに凹陥された固定溝１１１が形成される。
【００１８】
　一方、ケース３００、４００は表示モジュール１００の背面をカバーするリアケース３００と、リアケース３００と対向して結合し、表示モジュール１００の前面をカバーするフロントケース４００とを含む。
【００１９】
　具体的に、リアケース３００は基底面３１０と、基底面３１０から延びて表示モジュール１００の第１乃至第４側壁１１０、１２０、１３０、１４０と各々向き合う側壁３２０、３３０、３４０、３５０（以下まとめて第１側壁という）からなる。従って、リアケース３００は基底面３１０と第１側壁３２０、３３０、３４０、３５０により表示モジュール１００をカバーする。
【００２０】
　また、フロントケース４００は表示モジュール１００の第１面１５０のうちの非有効ディスプレー領域Ｓをカバーする上面４１０と、上面４１０から延びてリアケース３００の第１側壁３２０、３３０、３４０、３５０と各々向き合う第２側壁４２０、４３０、４４０、４５０からなる。ここで、フロントケース４００は表示モジュール１００がリアケース３００によりカバーされた後、リアケース３００と対向して結合されることにより、第１面１５０の非有効ディスプレー領域Ｓをカバーする。
【００２１】
　一方、第１及び第２固定部材２０１、２０２は表示モジュール１００の互いに向き合う両端部Ａ、Ｂに各々設けられ、表示モジュール１００に結合された状態でリアケース３００に締結され表示モジュール１００がケース３００、４００内で移動することを防止する。具体的に、第１固定部材２０１は第１側面１１０を有した表示モジュール１００の第１端部Ａに設けられ、第２固定部材２０２は第１側面１１０と向き合う第２側面１２０を有した表示モジュール１００の第２端部Ｂに設けられる。
【００２２】
　第１及び第２固定部材２０１、２０２は相互に同一の機能及び構造を有するために、以下では第１固定部材２０１のみを説明することにより、第２固定部材２０２に関する説明は省略する。
【００２３】
　図２に示すように、第１固定部材２０１は本体部２１０と、第１保持部２２０と、連結部２３０と、第２保持部と、固定部とからなる。
【００２４】
　具体的に、本体部２１０は平板形状を有し、表示モジュール１００の第２面１６０と向き合う。第１保持部２２０は本体部２１０と向き合うように形成され、表示モジュール１００を本体部２１０に沿うように保持する。即ち、第１保持部２２０は前記本体部２１０の長さ方向に延び、その水平面は前記本体部２１０の水平面と平行である。第１固定部材２０１が表示モジュール１００に結合される時、第１保持部２２０は表示モジュール１００の第１側面１１０（第２側面１２０についても同じ）に形成された固定溝１１１に挿入される。また、本体部２１０と第１保持部２２０は連結部２３０により連結する。
【００２５】
　一方、第２保持部は本体部２１０の互いに向き合う両端から各々延びた第１及び第２支持部２４１、２４２からなる。具体的に、第１支持部２４１は第１側面１１０と隣接する第３側面１３０に対応し、第２支持部２４２は第２側面と隣接する第４側面１４０に対応する。従って、第１及び第２支持部２４１、２４２は表示モジュール１００の移動を防止する。
【００２６】
　また、固定部は第１支持部２４１から外側に延びた第１固定部２５１および第２支持部２４２から外側に延びた第２固定部２５２とを含む。第１及び第２固定部２５１、２５２にはリアケース３００と締結されるための第１及び第２締結孔２５１ａ、２５２ａが各々形成されている。一方、図１に示したようにリアケース３００の基底面３１０には第１及び第２締結孔２５１ａ、２５２ａと対応する第１及び第２締結穴３６１ａ、３６２ａが各々形成された第１及び第２突出部３６１、３６２が各々備えられる。
【００２７】
　図示しなかったが、第１固定部材２０１が表示モジュール１００に結合された状態でリアケース３００に収納されると、第１固定部材２０１は第１及び第２固定部２５１、２５２を貫通するねじ（図示せず）を通じてリアケース３００に締結される。
【００２８】
　図３及び図４は、図１に示した表示モジュールと第１固定部材の結合関係を示した斜視図である。
【００２９】
　図３及び図４に示すように、表示モジュール１００は像を表示する第１面１５０と、第１面１５０と向き合う第２面１６０と、第１面１５０と第２面１６０を連結し、第１側面１１０を含む側面からなる。ここで、第１側面１１０には内側に凹陥された固定溝１１１が形成される。ここで、固定溝１１１は第１側面１１０のうちの中央部に形成されることが望ましい。即ち、第１側面１１０の高さをｈとする場合、固定溝１１１は（１／２）ｈの地点に形成される。
【００３０】
　一方、第１固定部材２０１は第２面１６０と向き合う本体部２１０と、本体部２１０と並べて形成され表示モジュール１００の固定溝１１１に収納され、表示モジュール１００を本体部２１０に沿うよう保持する第１保持部２２０及び第１側面１１０と向き合い、本体部２１０と第１保持部２２０を連結する連結部２３０とを備える。従って、第１固定部材２０１は表示モジュール１００がｚ軸方向に移動することを防止する。
【００３１】
　また、第１固定部材２０１は本体部２１０の両端部から延びた第１及び第２支持部２４１、２４２からなった第２保持部をさらに備える。第１及び第２支持部２４１、２４２の各々は第３及び第４側壁１３０、１４０と並ぶように延び、第２面１６０から第１面１５０に向かう方向に延びる。ここで、第３及び第４側面１３０、１４０の高さをｈとする場合、第１及び第２支持部２４１、２４２の高さは（１／２）ｈ程度になることが望ましい。従って、第１固定部材２０１は第１及び第２支持部２４１、２４２により表示モジュール１００がｙ軸方向に移動することを防止する。
【００３２】
　第１固定部材２０１は第１及び第２支持部２４１、２４２から各々外側に延びた第１及び第２固定部２５１、２５２からなった固定部をさらに備える。第１及び第２支持部２４１、２４２には第１及び第２締結孔２５１ａ、２５２ａが各々形成される。一方、リアケースは第１及び第２固定部２５１、２５２に各々対応する第１及び第２突出部３６１、３６２を備える。第１及び第２突出部３６１、３６２には第１及び第２締結孔２５１ａ、２５２ａに各々対応する第１及び第２締結穴３６１ａ、３６２ａが各々形成される。
【００３３】
　従って、第１固定部材２０１がリアケース３００に収納されると、第１及び第２締結孔２５１ａ、２５２ａは第１及び第２締結穴３６１ａ、３６２ａと各々対応される。次いで、第１固定部材２０１とリアケース３００は第１締結孔２５１ａ及び第１締結穴３６１ａに順に締結される第１ねじ３７１及び第２締結孔２５２ａ及び第２締結穴３６２ａに順に締結される第２ねじ３７２により堅固に結合される。
【００３４】
　このような結合構造は、表示モジュール１００がリアケース３００に収納された状態でｚ軸方向とｙ軸方向に移動することを防止することができる。また、図示しなかったが、表示モジュール１００の第１及び第２端部Ａ、Ｂには第１及び第２固定部材２０１、２０２が各々備えられるために、ｘ軸方向に移動することも防止される。
【００３５】
　ここで、第１固定部材２０１は表示モジュール１００にねじ結合されずに、表示モジュール１００に形成された固定溝１１１に一部が単に挿入される構造であるために、表示モジュール１００とリアケース３００を結合するのに利用される部品数を減少させることができる。これにより、平板表示装置５００の組立性を向上させると同時に、生産性を増大させることができる。
【００３６】
　また、第１固定部材２０１は表示モジュール１００が外部から加えられる力により損傷されないように、保護することができるほどの強度を有することが望ましい。即ち、リアケース３００とフロントケース４００はプラスチック材質で形成されることが一般的であるために、第１固定部材２０１は表示モジュール１００が外部から加えられる力から表示モジュール１００を十分に保護することができる程度の強度を有することにより、表示モジュール１００を保護する機能を発揮する。
【００３７】
　一方、図示しなかったが、リアケース３００とフロントケース４００はフック結合される。即ち、リアケース３００とフロントケース４００のうちのいずれか一つには突起を形成し、その他の一つには溝（又は凹所）を形成して突起が溝に嵌入することにより、リアケース３００とフロントケース４００が結合される。このような結合構造は一般に使用される結合構造であるために詳細な説明は省略する。
【００３８】
　図５及び図６は他の実施形態による表示モジュールと第１固定部材との結合関係を示す斜視図である。図５及び図６を説明するにおいて、図３及び図４に示した構成要素と同一の構成要素については、同じ番号を付与し、その説明は省略する。
【００３９】
　図５及び図６に示すように、表示モジュール１００は像を表示する第１面１５０と、第１面１５０と向き合う第２面１６０と、第１面１５０と第２面１６０を連結する第１乃至第４側壁１７０、１３０、１４０からなる。ここで、第１面１５０は像を表示する有効ディスプレー領域Ｄと、有効ディスプレー領域Ｄの周辺に形成された非有効ディスプレー領域Ｓに区分される。
【００４０】
　一方、第１固定部材５０１は第２面１６０と向き合う本体部２１０と、第１面１５０と向き合い、表示モジュール１００を本体部２１０に沿うように保持する第１保持部５２０と、第１側面１７０と向き合い、本体部２１０と第１保持部５２０を連結する連結部５３０とを備える。ここで、第１保持部５２０は第１面１５０のうちの非有効ディスプレー領域Ｓに対応して配置される。具体的に、第１保持部５２０の幅Ｗ１は非有効ディスプレー領域Ｓの幅Ｗ２より小さく、または同一であることが望ましい。従って、第１保持部５２０により表示モジュール１００の有効ディスプレー領域Ｄの面積が減少されることを防止することができる。
【００４１】
　図７及び図８はまた他の実施形態による表示モジュールと第１固定部材との結合関係を示す斜視図である。
【００４２】
　図７及び図８に示すように、表示モジュール１００は像を表示する第１面１５０と、第１面１５０と向き合う第２面１６０と、第１面１５０と第２面１６０を連結する第１乃至第４側壁１１０、１３０、１４０からなる。ここで、第１面１５０は像を表示する有効ディスプレー領域Ｄと、有効ディスプレー領域Ｄの周辺に形成された非有効ディスプレー領域Ｓに区分される。また、第１側面１１０には内側に凹陥された固定溝１１１が形成されている。ここで、固定溝１１１は第１側面１１０の中央部に形成されることが望ましい。即ち、第１側面１１０の高さをｈとする場合、固定溝１１１は（１／２）ｈの地点に形成される。
【００４３】
　一方、第１固定部材７０１は第１面１５０と向き合う本体部７１０と、本体部７１０と並べて形成され、固定溝１１１に収納され表示モジュール１００を本体部７１０に沿うように保持する第１保持部７２０と、第１面１５０と向き合い本体部７１０と第１保持部７２０を連結する連結部７３０とを備える。ここで、本体部７１０のの幅Ｗ３は表示モジュール１００の非有効ディスプレー領域Ｓの幅Ｗ２より小さく、または同一であることが望ましい。従って、本体部７１０により表示モジュール１００の有効ディスプレー領域Ｄの面積が減少されることを防止することができる。
【００４４】
　また、第１固定部材７０１は本体部７１０の両端部から延びた第１及び第２支持部７４１、７４２からなった第２保持部をさらに含む。第１及び第２支持部７４１、７４２の各々は第３及び第４側壁１３０、１４０と並べて延び、第１面１５０から第２面１６０に向かう方向に延びる。ここで、第３及び第４側壁１３０、１４０の高さをｈとする場合、第１及び第２支持部７４１、７４２の高さは（１／２）ｈ程度になることが望ましい。従って、第１固定部材７０１は第１及び第２支持部７４１、７４２により表示モジュール１００がｙ軸方向に移動することを防止する。
【００４５】
　第１固定部材７０１は第１及び第２支持部７４１、７４２から各々外側に延びられた第１及び第２固定部７５１、７５２からなった固定部をさらに備える。第１及び第２支持部には第１及び第２締結孔７５１ａ、７５２ａが各々形成される。一方、リアケースは第１及び第２固定部７５１、７５２に各々対応する第１及び第２突出部３６１、３６２を備える。第１及び第２突出部３６１、３６２には第１及び第２締結孔７５１ａ、７５２ａに各々対応する第１及び第２締結穴３６１ａ、３６２ａが各々形成される。
【００４６】
　従って、第１固定部材７０１がリアケース３００に収納されると、第１及び第２締結孔７５１ａ、７５２ａは第１及び第２締結穴３６１ａ、３６１ｂと各々対応した位置に来る。次いで、第１固定部材７０１とリアケース３００は第１締結孔７５１ａ及び第１締結穴３６１ａに順に締結される第１ねじ３７１及び第２締結孔７５２ａ及び第２締結穴３６１ｂに順に締結される第２ねじ３７２により堅固に結合される。
【００４７】
　図９及び図１０はまた他の実施形態による表示モジュールと固定部材との結合関係を示す斜視図である。
【００４８】
　図９及び図１０に示すように、表示モジュール１００は像を表示する第１面１５０と、第１面１５０と向き合う第２面１６０と、第１面１５０と第２面１６０を連結する第１乃至第４側壁１７０、１３０、１４０からなる。ここで、第１面１５０は映像を表示する有効ディスプレー領域Ｄと、有効ディスプレー領域Ｄの周辺に形成された非有効ディスプレー領域Ｓに区分される。
【００４９】
　一方、第１固定部材９０１は第１面１５０と向き合う本体部９１０と、第２面１６０と向き合い表示モジュール１００を本体部９１０に沿うように保持する第１保持部９２０と、第１側面１７０と向き合う本体部９１０と第１保持部９２０を連結する連結部９３０とを備える。ここで、本体部９１０のの幅Ｗ３は表示モジュール１００の非有効ディスプレー領域Ｓの幅Ｗ２より小さく、または同一であることが望ましい。
【００５０】
　また、第１固定部材９０１は本体部９１０の両端部から延びた第１及び第２支持部９４１、９４２からなった第２保持部をさらに含む。また第１支持部９４１から外側に延びた第１固定部９５１及び第２支持部９４２から外側に延びた第２固定部９５２からなった固定部をさらに含む。
【００５１】
　図１１は他の実施形態による第１固定部材の構造を示す斜視図であり、図１２はまた他の実施形態による第１固定部材の構造を示す斜視図である。
【００５２】
　図１１に示すように、第１固定部材１１０３は本体部１１１０と、本体部１１１０と向き合い、所定の間隔に離隔された複数の第１保持部１１６０と、第１保持部１１６０と本体部１１１０を連結する連結部１１３０からなる。また、第１固定部材１１０３は本体部１１１０の両端部から延びた第１及び第２支持部１１４１、１１４２からなる第２保持部をさらに含む。また、第１支持部１１４１から外側に延びた第１固定部１１５１及び第２支持部１１４２から外側に延びた第２固定部１１５２からなった固定部をさらに含む。
【００５３】
　ここで、第１固定部材１１０３は所定の間隔に離隔して形成された第１保持部１１６０を備えるために、図２に示した第１固定部材２０１に比べ重さが減少する。
【００５４】
　一方、他の実施形態として図１２に示した第１固定部材１２０４は所定の間隔に離隔された複数の第１保持部１２６０と、第１保持部１２６０と同一の間隔に離隔して形成され、第１保持部１２６０と本体部１２１０を連結する複数の連結部１２３０を備える。この実施形態において、各連結部１２３０は保持部１２６０のうちで対応される一つと一体に連結される。従って、第１固定部材１２０４の重さをさらに減少させることができる。前記保持部１２６０と同様に前記連結部１２３０が隣接する連結部との間に離隔空間が提供されるように不連続的に形成されるためである。図５乃至図１２を参考して述べられた実施の形態において前記ディスプレーモジュールの第２側面には上述の実施形態と同様の他の固定部材が結合されることができる。
【００５５】
　尚、図１１及び図１２に示したような構造では、複数個に分散された第１保持部２６０により表示モジュール１００を固定するために、第１固定部材１１０３、１２０４は十分な強度を有することが望ましい。
【００５６】
　図１３は図１に示した平板表示装置の一つである液晶表示装置を具体的に示す分解斜視図である。図１４は図１３を切断線Ｉ−Ｉ′に沿って切断した断面図であり、図１５は図１３を切断線ＩＩ−ＩＩ′に沿って切断した断面図である。図１３乃至図１５では、液晶表示装置のうち、透過型液晶表示装置の構造を例示して本発明の構造を具体的に説明する。
【００５７】
　図１３乃至図１５に示すように、液晶表示装置１１００は、像を表示する液晶表示モジュール１０００と、液晶表示モジュール１０００をカバーするケース３００、４００と、ケース３００、４００内で液晶表示モジュール１０００が浮動することを防止するための第１及び第２固定部材２０１、２０２とを含む。
【００５８】
　ケース３００、４００は液晶表示モジュール１０００の背面をカバーするリアケース３００と、リアケース３００と対向して結合して液晶表示モジュール１０００の前面をカバーするフロントケース４００からなる。
【００５９】
　一方、液晶表示モジュール１０００は液晶により光の透過度を制御して像を表示するディスプレーユニット６００と、ディスプレーユニット６００に光を提供するバックライトユニット７００と、バックライトユニット７００及びディスプレーユニット６００を収納する第１収納容器８００と、前記第１収納容器８００と対向して結合してディスプレーユニット６００を第１収納容器８００に固定する第２収納容器９００を有する。
【００６０】
　前記ディスプレーユニット６００は画面を提供する液晶パネル６１０と、液晶パネル６１０に印加される駆動信号を発生するデータ及びゲート印刷回路基板６２０、６３０を含む。
【００６１】
　ここで、液晶パネル６１０は薄膜トランジスター基板（以下、ＴＦＴと称する）６１１と、カラーフィルタ基板６１３と、ＴＦＴ基板６１１とカラーフィルタ基板６１３との間に形成された液晶層（図示せず）からなる。ＴＦＴ基板６１１には行方向に延びた複数のゲートライン（図示せず）と、列方向に延びた複数のデータライン（図示せず）と、ゲートラインとデータラインにより決定される領域でゲートラインとデータラインに各々連結されるＴＦＴ（図示せず）と、前述したＴＦＴに結合される画素電極（図示せず）が形成される。
【００６２】
　ここで、ゲートラインの端子部が形成された液晶パネル６１０のゲート部には柔軟性フィルムの一種であるゲート側テープキャリアパッケージ（以下、ＴＣＰと称する）６５０が取付けられて液晶パネル６１０とゲート側回路基板６３０を電気的に連結させる。また、データラインの端子部が形成された液晶パネル６１０のデータ部にはデータ側ＴＣＰ６４０が取付けられて液晶パネル６１０とデータ側回路基板６２０を電気的に連結させる。
【００６３】
　一方、バックライトユニット７００は第１光を発生する光源部７１０と、第１光を液晶パネル６１０側にガイドする導光板７２０と、導光板７２０から出射された第１光の輝度特性を向上させるための複数の光学シート７３０、７４０とからなる。
【００６４】
　光源部７１０は第１光を発生するランプ７１１と、ランプ７１１の一側をカバーしてランプ７１１からの第１光が導光板７２０に進行するように反射するランプ反射板７１３とを備える。導光板７２０は直六面体形状からなり、一つ以上の側面を通じて第１光の提供を受け、前面から第２光を射出する。ここで、導光板７２０の背面には導光板７２０から漏洩される第３光を反射する反射板７４０が備えられる。一方、導光板７２０の前面上には導光板７２０から射出される第２光を拡散したり集光する複数の光学シート７３０がさらに備えられる。
【００６５】
　第１収納容器８００は基底面８１０と基底面８１０から延びた第１乃至第４側壁８２０、８３０、８４０、８５０からなる。第１収納容器８００の収納空間にはバックライトユニット７００の構成要素７１０、７２０、７３０、７４０が適正な順序で収納される。
【００６６】
　即ち、第１収納容器８００の第３側壁８４０に光源部７１０が収納されると、基底面８１０上には反射板７４０と導光板７２０が順に積層され、導光板７２０の前面上には複数の光学シート７３０が配置される。次いで、複数の光学シート７３０上にはディスプレーユニット６００が定着される。
【００６７】
　ここで、液晶パネル６１０は第１収納容器８００の第１乃至第４側壁８２０、８３０、８４０、８５０の上端に形成された縁部支持段部（図示せず）に定着され、ゲート側回路基板６３０は第１収納容器８００の第１側壁８２０から延びた回路基板収納部（図示せず）に収納される。また、データ側回路基板６２０はデータ側ＴＣＰ６４０が第１収納容器８００の背面まで伸びるように折り曲げられることにより背面に定着される。
【００６８】
　ここで、第１収納容器８００の材質は多様な材料とすることができ、また該収納容器は図１３に示したように一つのみ備えられる場合もあり、複数個備える構成とすることもできる。
【００６９】
　第２収納容器９００は上壁９１０と上壁９１０から延びた第５乃至第８側壁９２０、９３０、９４０、９５０からなる。第２収納容器９００はバックライトユニット６００と、ディスプレーユニット７００を収納している第１収納容器８００と対向して結合する。従って、上壁９１０はディスプレーユニット６００の非有効ディスプレー領域と向き合い、第５乃至第８側壁９２０、９３０、９４０、９５０は第１収納容器８００の第１乃至第４側壁８２０、８３０、８４０、８５０と各々向き合う。図示しなかったが、第１収納容器８００と第２収納容器９００はフックまたはねじ結合される。
【００７０】
　従って、第１収納容器８００はバックライトユニット７００とディスプレーユニット６００が第１収納容器８００から離脱されないように固定する。これにより、液晶表示モジュール１０００が完成される。
【００７１】
　図１３及び図１４に示したように、第２収納容器９００の第５乃至第８側壁９２０、９３０、９４０、９５０のうち、向き合う第５及び第６側壁９２０、９３０には所定の深さに陥没された第１及び第２固定溝９２１、９３１が各々形成される。第１及び第２固定溝９２１、９３１は第５及び第６側壁９２０、９３０の中央部に各々形成されることが望ましい。即ち、第５及び第６側壁９２０、９３０の高さをｈとする時、第１及び第２固定溝９２１、９３１の各々は第５及び第６側壁９２０、９３０の（１／２）ｈ地点に形成される。
【００７２】
　また、第２収納容器９００の第５及び第６側壁９２０、９３０と向き合う第１収納容器８００の第１及び第２側壁８２０、８３０には第１及び第２固定溝９２１、９３１が形成された位置に対応して第１及び第２結合溝８２１、８３１が形成される。第１及び第２固定溝９２１、９３１は第５及び第６側壁９２０、９３０から所定の深さに凹陥して各々形成されるために、第１及び第２結合溝８２１、８３１は第１及び第２固定溝９２１、９３１により拡張された第５及び第６側壁９２０、９３０の全体的な厚さを補償するような寸法形状で用意される。
【００７３】
　従って、第５及び第６側壁９２０、９３０は第１及び第２固定溝９２１、９３１が各々形成された部分で第１及び第２結合溝８２１、８３１に収納されることにより、液晶表示装置１１００の全体的なサイズが増加されることを防止することができる。
【００７４】
　図示しなかったが、第１及び第２固定溝９２１、９３１は第２収納容器９００の第５及び第６側壁９２０、９３０の一部分を切開して形成された孔の形態で形成されることもできる。
【００７５】
　第２収納容器９００の第５及び第６側壁９２０、９３０に形成された第１及び第２固定溝９２１、９３１に各々挿入されることにより、液晶表示モジュール１０００を固定するための第１及び第２固定部材２０１、２０２がこれらに結合される。
【００７６】
　第１及び第２固定部材２０１、２０２は互いに同一の機能及び構造を有するために、以下では第１固定部材２０１のみを説明することにより、第２固定部材２０２については省略する。
【００７７】
　具体的に、第１固定部材２０１は第１収納容器８００の基底面８１０と向き合う本体部２１０、本体部２１０と向き合い第２収納容器９００に用意された第１固定溝９２１に挿入され、液晶表示モジュール１０００を本体部２１０に沿うように保持する第１保持部２２０及び本体部２１０と第１保持部２２０を連結する連結部２３０を含む。従って、第１固定部材２０１は液晶表示モジュール１０００がｚ軸方向に移動しないように保持する。
【００７８】
　一方、第１固定部材２０１は本体部２１０の両端部から延びた第１及び第２支持部２４１、２４２（図２参照）からなり、液晶表示モジュール１０００の移動を防止するための第２保持部をさらに備える。第１支持部２４１は第５側壁９２０に隣接する第７側壁９４０に配置され、第２支持部２４２は第７側壁９４０と向き合う第８側壁９５０に配置される。
【００７９】
　従って、第１固定部材２０１は第１及び第２支持部２４１、２４２により液晶表示モジュール１０００の第７及び第８側壁９４０、９５０を各々支持することにより、液晶表示モジュール１０００の移動を防止する。
【００８０】
　第１及び第２支持部２４１、２４２は第１収納容器８００の基底面８１０から第２収納容器９００の上面９１０に向かうように本体部２１０の両端部から各々延びる。ここで、第１及び第２支持部２４１、２４２各々は第７及び第８側壁９４０、９５０各々の高さの１／２程度の高さを有する。
【００８１】
　第１固定部材２０１は第１支持部２４１から延びた第１固定部２５１及び第２支持部２４２から外側に延びた第２固定部２５２からなった固定部を備える。第１及び第２固定部２５１、２５２には第１及び第２締結孔２５１ａ、２５２ａが各々形成される。一方、リアケース３００は第１及び第２固定部２５１、２５２に各々対応して第１及び第２突出部３６１、３６２を備え、第１及び第２突出部３６１、３６２には第１及び第２締結孔２５１ａ、２５２ａに各々対応する第１及び第２締結穴３６１ａ、３６２ａ（図４参照）が各々形成される。
【００８２】
　従って、第１固定部材２０１が液晶表示モジュール１０００に結合された状態でリアケース３００に収納されると、第１締結孔２５１ａは第１締結穴３６１ａに対応され、第２締結孔２５２ａは第２締結穴３６２ａに対応される。次いで、第１固定部材２０１とリアケース３００は第１締結孔２５１ａ及び第１締結穴３６１ａに順に挿通される締結される第１ねじ３７１及び第２締結孔２５２ａ及び第２締結穴３６２ａに順に挿通され締結される第２ねじ３７２により堅固に結合される。
【００８３】
　このような結合構造は、液晶表示モジュール１０００がリアケース３００に収納された状態でｚ軸方向とｙ軸方向に移動することを防止することができる。また、第１及び第２固定部材２０１、２０２は液晶表示モジュール１０００の互いに向き合う両端部に各々備えられるために、ｘ軸方向に移動することも防止することができる。
【００８４】
　図１６及び図１７は図１３に示したデータ回路基板と第１及び第２固定部材の位置関係を示した図面である。
【００８５】
　図１６及び図１７に示すように、データ側回路基板６２０はデータ側ＴＣＰ６４０が折り曲げられることにより第１収納容器８００の背面に定着される。ここで、データ側回路基板６２０は第１収納容器８００の背面側から見る時、第１及び第２固定部材２０１、２０２とオーバーラップしないように配置される。即ち、データ側回路基板６２０と第１及び第２固定部材２０１、２０２は背面上で所定距離離隔されるか、あるいはデータ側回路基板６２０と本体部２１０の端部が縁部面で接するように配置される。この実施形態では、前記データ側回路基板６２０は一般のデータ側回路基板より短い長さを有することになる場合がある。
【００８６】
　ここで、データ側回路基板６２０と第１及び第２固定部材２０１、２０２が第１収納容器８００の背面側から見る時、オーバーラップしないことにより液晶表示装置１１００の厚さがデータ側回路基板６２０の厚さの分増加されることを防止することができる。
【００８７】
　このような位置関係を有するために、前述のようにデータ側回路基板６２０の全体的な長さが従来に比べて小さくなる場合があるが、本発明では減少された長さに対応する分データ側回路基板６２０の幅を増加させることによりデータ側回路基板６２０の全面積が維持されるようにすることが望ましい。
【００８８】
　以上では一つの実施形態として液晶を利用して画像をディスプレーする液晶表示装置を平板表示装置の一例として説明したが、有機電界発光素子を利用した平板表示装置や、プラズマを利用した平板表示装置など多様な平板表示装置にも適用することができる。
【００８９】
　以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００９０】
　本発明によると、固定部材は表示モジュールに結合された状態でケースと締結され表示モジュールがケース内で浮動することを防止する。
【００９１】
　従って、表示モジュールとケースをねじ結合するために表示モジュールとケースにスクリューホールを形成する工程を省略することができ、スクリュー締結する個所を減少することができるので、組立工程数を最少化することができる。
【００９２】
　また、表示モジュールとケースを結合するための部品数を節減することにより、生産性を向上させることができる。
【００９３】
　また、固定部材が十分な強度を有する材質からなって表示モジュールに結合されてケースと締結されるために、表示モジュールとケースの結合力を増大させることができ、ねじ締結のため多くの場所を確保することを要せず薄型化を具現することができる。
【図面の簡単な説明】
【００９４】
【図１】本発明の一実施形態による平板表示装置を具体的に示した斜視図である。
【図２】図１に示した第１固定部材を示した斜視図である。
【図３】図１に示した表示モジュールと第１固定部材との結合関係を示した図面である。
【図４】図１に示した表示モジュールと第１固定部材との結合関係を示した図面である。
【図５】他の実施形態による表示モジュールと第１固定部材との結合関係を示す図面である。
【図６】図５の実施形態による表示モジュールと第１固定部材との結合関係を示す図面である。
【図７】さらに他の実施形態による表示モジュールと第１固定部材との結合関係を示す図面である。
【図８】図７の実施形態による表示モジュールと第１固定部材との結合関係を示す図面である。
【図９】さらに他の実施形態による表示モジュールと第１固定部材との結合関係を示す図面である。
【図１０】図９の実施形態による表示モジュールと第１固定部材との結合関係を示す図面である。
【図１１】さらに他の実施形態による第１固定部材を示した斜視図である。
【図１２】さらに他の実施形態による第１固定部材を示した斜視図である。
【図１３】図１に示した平板表示装置の一つである液晶表示装置をより具体的に示した分解斜視図である。
【図１４】図１３を切断線ｉ−Ｉ′に沿って切断した断面図である。
【図１５】図１３を切断線ＩＩ−ＩＩ′に沿って切断した断面図である。
【図１６】図１３に示した回路基板と第１及び第２固定部材の配置関係を示した図面である。
【図１７】図１３に示した回路基板と第１及び第２固定部材の配置関係を示した図面である。
【符号の説明】
【００９５】
１００　　表示モジュール
２００　　第１固定部材
２１０　　本体部
２２０　　第１保持部
２３０　　連結部
２４０　　第２保持部
２５０　　固定部
３００　　リアケース
４００　　フロントケース
５００　　平板表示装置
６００　　ディスプレーユニット
７００　　バックライトユニット
８００　　第１収納容器
９００　　第２収納容器
１０００　　液晶表示モジュール
１１００　　液晶表示装置
【図１】
2004094256.tif 000003
【図２】
2004094256.tif 000004
【図３】
2004094256.tif 000005
【図４】
2004094256.tif 000006
【図５】
2004094256.tif 000007
【図６】
2004094256.tif 000008
【図７】
2004094256.tif 000009
【図８】
2004094256.tif 000010
【図９】
2004094256.tif 000011
【図１０】
2004094256.tif 000012
【図１１】
2004094256.tif 000013
【図１２】
2004094256.tif 000014
【図１３】
2004094256.tif 000015
【図１４】
2004094256.tif 000016
【図１５】
2004094256.tif 000017
【図１６】
2004094256.tif 000018
【図１７】
2004094256.tif 000019